(57)【要約】【課題】  製造時間を短縮させた表示装置を提供する。【解決手段】  表示装置は、収納容器、表示パネル、及びトップシャーシを含む。収納容器は、収納底部及び収納底部のエッジから延伸する収納側部を含む。表示パネルは収納容器内に配置され、光を用いて画像を表示する。トップシャーシは、表示パネルのエッジを固定するパネル支持部及びパネル支持部のエッジから延伸したシャーシ側部を具備し、収納容器に結合して、収納容器と一体化する。【選択図】図１
2006215551.tif 000002
【特許請求の範囲】
【請求項１】
収納底部及び前記収納底部のエッジから延伸する収納側部を具備する第１収納容器と、
前記第１収納容器内に配置され、画像を表示する表示パネルと、
前記表示パネルのエッジを固定するパネル支持部、及び前記パネル支持部のエッジから延伸するシャーシ側部を具備し、前記第１収納容器の一部に結合して、前記第１収納容器と一体化する第２収納容器と、を含むことを特徴とする表示装置。
【請求項２】
前記シャーシ側部には、結合突起が形成され、
前記収納側部には、前記結合突起と結合されて、前記第１収納容器による第２収納容器の動きを防止する結合溝が形成されることを特徴とする請求項１記載の表示装置。
【請求項３】
前記シャーシ側部には、結合ホールが形成され、
前記収納側部には、前記結合ホールと結合される結合部が形成され、
前記結合部は、前記結合ホールと前記結合部とを結合する力が加えられるときに弾性的に変形され、前記力が除去されると再び元の形態に戻る特徴を有する部分を含むことを特徴とする請求項１記載の表示装置。
【請求項４】
前記結合部は、前記収納側部から延伸する結合本体部と、前記結合ホールと結合するときに弾性的に変形する部分を有する結合頭部と、を含むことを特徴とする請求項３記載の表示装置。
【請求項５】
前記収納側部には、前記シャーシ側部と結合するとき、前記シャーシ側部を前記第１収納容器の外側方向に押し進めるためのシャーシ支持部が更に形成されることを特徴とする請求項３記載の表示装置。
【請求項６】
前記シャーシ側部には、結合突起が形成され、
前記収納側部には、前記シャーシ側部と結合するときに前記シャーシ側部に圧力を加える結合部が形成されることを特徴とする請求項１記載の表示装置。
【請求項７】
前記結合部は、前記結合突起に圧力を加える複数個の結合羽部を含むことを特徴とする請求項６記載の表示装置。
【請求項８】
前記第１収納容器と前記第２収納容器とを磁力により結合させる結合部材を更に含むことを特徴とする請求項１記載の表示装置。
【請求項９】
前記結合部材は、前記収納側部に配置された第１磁石と、前記シャーシ側部の外側面に配置され、前記第１磁石と磁力によって結合される第２磁石と、を含むことを特徴とする請求項８記載の表示装置。
【請求項１０】
磁石結合部材を更に含み、
前記シャーシ側部は、前記磁石結合部材に対応する結合ホールを有することを特徴とする請求項１記載の表示装置。
【請求項１１】
前記パネル支持部には、前記第１収納容器と第２収納容器とを結合させるための湾曲部が形成されることを特徴とする請求項１記載の表示装置。
【請求項１２】
前記湾曲部は、前記パネル支持部の一部が前記第１収納容器の内部に湾曲して形成されることを特徴とする請求項１記載の表示装置。
【請求項１３】
底面及び前記底面のエッジから延伸した側壁を具備して、収納空間の輪郭を定め、前記側壁に所定の深さに凹陥した第１結合部を有する収納容器と、
前記収納空間内に配置され、画像を表示する表示パネルと、
前記表示パネルのエッジを固定するパネル支持面及び前記パネル支持面のエッジから延伸して、前記収納容器の側壁と結合するシャーシ側面を具備し、前記第１結合部と結合するために、前記シャーシ側壁から所定の長さに突出した第２結合部とを有するトップシャーシと、を更に含むことを特徴とする表示装置。
【請求項１４】
前記第２結合部は、前記底面と平行な面に沿って切断した断面が、L字形状を有することを特徴とする請求項１３記載の表示装置。
【請求項１５】
前記第２結合部は、前記シャーシ側壁から前記シャーシ側壁に対して傾くように延伸したことを特徴とする請求項１３記載の表示装置。
【請求項１６】
前記第２結合部の端部は、少なくとも一度湾曲した形状を有することを特徴とする請求項１３記載の表示装置。
【請求項１７】
前記第２結合部は、前記シャーシ側壁の一部が湾曲して形成されることを特徴とする請求項１３記載の表示装置。
【請求項１８】
前記第１結合部は、前記底面と平行な面に沿って切断した断面が、Ｌ字形状を有することを特徴とする請求項１３記載の表示装置。
【請求項１９】
前記第１結合部は、前記第２結合部の一部と結合し、前記収納容器の側壁に対して前記トップシャーシの動きを防止する段差を更に含むことを特徴とする請求項１３記載の表示装置。
【請求項２０】
前記段差は、前記収納容器の側壁に対して傾くように形成されることを特徴とする請求項１９記載の表示装置。
【請求項２１】
前記収納容器及び前記トップシャーシと結合するケースを更に含むことを特徴とする請求項１３記載の表示装置。
【請求項２２】
前記ケースは、スクリュによって前記収納容器及び前記トップシャーシと結合することを特徴とする請求項２１記載の表示装置。
【発明の詳細な説明】
【技術分野】
【０００１】
本発明は、表示装置に関わり、より詳細には、製造時間を短縮した表示装置に関わる。
【背景技術】
【０００２】
最近、情報処理機器は、多様な形態、多様な機能を有し、更に速い速度で情報を処理している。情報処理装置で処理された情報は、電気的な信号フォーマット形態を有する。したがって、使用者が情報処理装置で処理された情報を肉眼で確認するためには、情報を画像に表示する表示装置を必要とする。
【０００３】
前記表示装置の一つである液晶表示装置は、液晶を用いて画像を表示する。前記液晶表示装置は、他の表示装置に比べて薄くて軽く、消費電力が低く、低い駆動電圧を有するという長所を有する。
【０００４】
前記液晶表示装置は、一般的に液晶の光透過率を用いて画像を表示する液晶表示パネルと、前記液晶表示パネルに光を提供する光発生ユニットと、前記液晶表示パネル及び前記光発生ユニットを収納する収納容器と、前記収納容器と結合されて前記液晶表示パネルを固定させるトップシャーシを含む。
【０００５】
一般的に、前記収納容器は、前記トップシャーシとスクリュによって結合される。しかし、前記スクリュによる結合方法は、作業者による作業時間を増加させるという問題点を有する。
【発明の開示】
【発明が解決しようとする課題】
【０００６】
本発明の技術的な目的は、このような従来の問題点を解決するためのものであって、本発明の目的は、別途の部品を用いることなく収納容器とトップシャーシとを結合させることで製造時間を短縮した表示装置を提供することにある。
【課題を解決するための手段】
【０００７】
前記の本発明の目的を達成するために、一特徴による表示装置は、第１収納容器、表示パネル、及び第２収納容器を含む。前記第１収納容器は、収納底部と、前記収納底部のエッジから延伸する収納側部を具備する。前記表示パネルは、前記第１収納容器内に配置され、画像を表示する。前記第２収納容器は、前記表示パネルのエッジを固定するパネル支持部及び前記パネル支持部のエッジから延伸するシャーシ側部を具備し、前記第１収納容器に結合して、前記第１収納容器と一体化する。
【０００８】
前記本発明の目的を達成するために、他の一特徴による表示装置は、第１収納容器、表示パネル、及び第２収納容器を含む。前記第１収納容器は、収納底部及び前記収納底部のエッジから延伸する収納側部を具備し、前記シャーシ側部には、結合突起が形成される。前記表示パネルは、前記第１収納容器内に配置され、画像を表示する。前記第２収納容器は、前記表示パネルのエッジを固定するパネル支持部及び前記パネル支持部のエッジから延伸するシャーシ側部を具備し、前記シャーシ側部には、前記結合突起と結合される結合ホールが形成され、前記第１収納容器と結合する。
【発明の効果】
【０００９】
本発明の表示装置によれば、スクリュのような別途の部品を用いることなく第１収納容器と第２収納容器とを結合することで、表示装置を製造するのに所要する製造時間をより短縮することができる。
【発明を実施するための最良の形態】
【００１０】
以下、添付した図面を参照して、本発明の望ましい実施例をより詳細に説明する。
【００１１】
＜実施例１＞
図１は、本発明の第１実施例による表示装置を示した斜視図であり、図２は、図１の表示装置を、Ｉ−Ｉ’に沿って切断した断面図である。
【００１２】
図１及び図２を参照すると、第１実施例による表示装置は、光発生ユニット（図示せず）、導光板１０、反射板２０、光学シート類３０、表示パネル４０、アッパモールド５０、第１収納容器１００及び第２収納容器１５０を含む。ここで、下記において、前記第１収納容器１００は、ボトムモールドと定義し、前記第２収納容器１５０は、トップシャーシと定義して説明する。
【００１３】
前記光発生ユニットは、前記ボトムモールド１００内に配置され、外部の電源供給装置（図示せず）から電源の供給を受けて光を発生させる。表示装置は、一対の光発生ユニットを含み、前記一対の光発生ユニットは、例えば、前記導光板１０のＸ方向における互いの両側面が実質的に向い合うように配置される。これとは違って、前記光発生ユニットは、前記導光板１０の一側にのみ向い合うように配置してもよい。
【００１４】
前記光発生ユニットは、一例として、熱放出量が少なくて寿命が長く、棒形状を有する冷陰極蛍光ランプ（ＣＣＦＬ）である。これとは違って、前記光発生ユニットは、外部に電極が配置された外部電極蛍光ランプ（ＥＥＦＬ）であるか、点状の光学分布を有する光を発生する発光ダイオード（ＬＥＤ）であってもよい。
【００１５】
前記導光板１０は、前記ボトムモールド１００内に配置され、前記導光板１０の両側面は、前記光発生ユニットと向い合う。ここで、前記光発生ユニットで発生した光は、前記導光板１０の両側面に入射され、前記導光板１０の内部で屈折及び反射を起こして、前記導光板１０の上部に出射される。前記導光板１０の下面には、光の経路を変更するために、前記導光板１０内に入射された光を拡散させる複数の反射パターン（図示せず）を形成することができる。
【００１６】
図２に示した前記導光板１０は、扁平な長方形形状を有しているが、これとは違って、前記光発生ユニットが前記導光板１０の一側面にのみ向い合うように配置される場合には、前記導光板１０は、前記光発生ユニットから離れるほど厚さが薄くなる楔形状を有することができる。
【００１７】
前記反射板２０は、前記ボトムモールド１００内に配置され、前記導光板１０の下部に配置される。前記反射板２０は、前記導光板１０内に入射された光のうち、前記導光板１０の下部から出射された光を反射させる。前記反射板２０によって反射された光は、再び導光板１０内に入射される。
【００１８】
前記光学シート類３０は、前記ボトムモールド１００内に収納され、前記導光板１０の上部に配置される。前記光学シート類３０は、前記導光板１０の上部に出射された光の光学特性を向上させる。
【００１９】
前記光学シート類３０は、例えば、前記導光板１０の上部に出射された光を拡散させ、輝度均一性を向上させる拡散シート３２と、前記拡散シート３２の上部に配置されるプリズムシート３４とを含む。前記拡散シート３２を通過した光は、プリズムシート３４において屈折及び反射され、その結果、プリズムシート３４の前面から照射される光の垂直輝度（Ｖｅｒｔｉｃａｌ  Ｂｒｉｇｈｔｎｅｓｓ）は増加する。前記プリズムシート３４は、Ｘ軸方向に形成された第１プリズムを有する第１プリズムシートと、Ｙ軸方向に形成された第２プリズムを有する第２プリズムシートを含む。これとは違って、前記プリズムシート３４は、一枚のシートで構成することができる。また、図面に示していないが、前記光学シート類３０は、前記プリズムシート３４の上部に配置され、前記プリズムシート３４を保護する保護シート（図示せず）を更に含むことができる。
【００２０】
前記表示パネル４０は、前記ボトムモールド１００内に収納され、前記光学シート類３０の上部に配置される。前記表示パネル４０は、前記光学シート類３０を通じて出射された光を用いて画像を表示する。前記表示パネル４０は、第１基板４２、第２基板４４、及び液晶層４６を含む。
【００２１】
前記第１基板４２は、マトリクス形態に配置された複数の画素電極と、前記各画素電極に駆動電圧を印加する薄膜トランジスタと、前記薄膜トランジスタをそれぞれ作動させるための信号線を含む。
【００２２】
前記画素電極は、透明かつ導電性であるインジウムスズ酸化薄膜（ＩＴＯ）、インジウム亜鉛酸化薄膜（ＩＺＯ）、アモルファスインジウムスズ酸化薄膜（ａ−ＩＴＯ）などをフォトリソグラフィ工程によってパターニングして形成される。
【００２３】
前記第２基板４４は、前記第１基板４２と向い合うように配置される。前記第２基板４４は、共通電極（図示せず）及びカラーフィルタ（図示せず）を含む。前記共通電極は、前記第２基板４４の全面に配置され、透明かつ導電性である。
【００２４】
前記カラーフィルタは、白色光のうち、赤色光を選択的に通過させる赤色カラーフィルタ、白色光のうち、緑色光を選択的に通過させる緑色カラーフィルタ、及び白色光のうち、青色光を選択的に通過させる青色カラーフィルタを含む。
【００２５】
図２に示した前記液晶層４６は、前記第１基板４２と前記第２基板４４との間に介在され、前記画素電極と前記共通電極との間に形成された電気場によって再配列される。再配列された前記液晶層４６は、前記光学シート類３０を通過した光の透過率を調節する。光透過率が調節された光は、前記カラーフィルタを通過することで画像を表示する。
【００２６】
前記表示パネル４０は、印刷回路基板（図示せず）及び可撓性印刷回路基板（図示せず）を更に含むことができる。
【００２７】
前記印刷回路基板は、画像信号を処理する駆動回路ユニットを含み、前記駆動回路ユニットは、外部から入力された画像信号を前記薄膜トランジスタ（ＴＦＴ）を制御する駆動信号に変更させる。
【００２８】
前記可撓性回路基板は、前記印刷回路基板と前記第１基板４２を電気的に連結して、前記印刷回路基板で発生した駆動信号を前記第１基板４２に提供する。
【００２９】
前記アッパモールド５０は、前記ボトムモールド１００内に収納され、前記光学シート類３０と前記表示パネル４０との間に配置される。前記アッパモールド５０には、前記表示パネル４０のエッジが装着されるための段差が形成される。前記アッパモールド５０は、前記光学シート類３０のエッジを圧着して前記光学シート類３０を固定し、前記段差を介して表示パネル４０を支持する。
【００３０】
前記ボトムモールド１００は、収納底部１１０及び収納底部１１０のエッジから延びる収納側部１２０を含む。前記ボトムモールド１００は、前記収納底部１１０及び前記収納側部１２０によって収納空間の輪郭を定め、前記収納空間には前記光発生ユニット、前記導光板１０、前記反射板２０、前記光学シート類３０、前記表示パネル４０、及び前記アッパモールド５０が収納される。
【００３１】
前記収納側部１２０の外側面には、弾性力によって前記トップシャーシ１５０と結合される結合部１２２及び前記トップシャーシ１５０を支持するシャーシ支持部１２４が形成される。前記結合部１２２、前記シャーシ支持部１２４、及び前記トップシャーシ１５０は、加えられた力によって変形され、力が除去されると元の位置に戻る。
【００３２】
図２は、前記結合部１２２及び前記シャーシ支持部１２４が前記収納側部１２０の外側面の一部にのみ形成される状態を示したが、これとは違って、前記結合部１２２及び前記シャーシ支持部１２４は、前記収納側部１２０の全ての外側面に形成することができる。
【００３３】
前記結合部１２２は、棒形状を有する結合本体部１２２ａと、前記結合本体部１２２ａの端部と結合された結合頭部１２２ｂを含む。前記結合本体部１２２ａは、前記収納側部１２０から前記ボトムモールド１００の外側方向に延伸するように形成されるか、前記収納側部１２０と一体に形成され得る。前記結合頭部１２２ｂは、内部に空間を有する合成樹脂からなり、外部の力によってある程度動き、外部の力が除去されると、元の状態に戻る弾性部分を有する。ここで、前記結合頭部１２２ｂのエッジは、前記トップシャーシ１５０と接合することによって、前記ボトムモールド１００による前記トップシャーシ１５０の動きを防止する。
【００３４】
前記シャーシ支持部１２４は、前記収納側部１２０と傾いた方向に前記収納側部１２０から一対が延伸して形成される。前記シャーシ支持部１２４は、前記トップシャーシ１５０を前記ボトムモールド１００の外側方向に押し進めることによって、前記トップシャーシ１５０の動きを更に防止する。これとは違って、前記シャーシ支持部１２４は、弾性を有するスプリングであってもよい。
【００３５】
前記トップシャーシ１５０は、前記ボトムモールド１００と結合され、外部の衝撃及び振動によって前記表示パネル４０が破損または損傷することを防止するか減少させ、前記表示パネル４０が前記ボトムモールド１００から離脱することを防止する。
【００３６】
前記トップシャーシ１５０は、前記収納底部１１０と平行に形成されたパネル支持部１５２と、前記パネル支持部１５２のエッジから前記収納側部１２０と平行に延伸したシャーシ側部１５４を含む。
【００３７】
前記パネル支持部１５２は、エッジを除いた多くが開口されており、前記表示パネル４０のエッジを圧着することによって前記表示パネル４０を前記ボトムモールド１００に固定させる。ここで、前記表示パネル４０は、前記パネル支持部１５２の開口された部分を通じて画像を表示する。
【００３８】
前記シャーシ側部１５４は、前記結合部１２２と対応する位置に形成された結合ホール１５４ａを含む。前記結合ホール１５４ａは、前記結合部１２２と結合され、前記トップシャーシ１５０と前記ボトムモールド１００を結合させる。ここで、前記結合頭部１２２ｂが弾性によって収縮され、前記結合ホール１５４ａを通過した後、前記結合頭部１２２ｂと前記シャーシ支持部１２４の相互作用によって前記トップシャーシ１５０と前記ボトムモールド１００をより強く結合させる。
【００３９】
このような本実施例によると、前記結合頭部１２２ｂが前記シャーシ側部１５４を前記ボトムモールド１００の内側に圧力を加え、前記シャーシ支持部１２４が前記シャーシ側部１５４を前記ボトムモールド１００の外側に圧力を加えることによって、前記トップシャーシ１５０と前記ボトムモールド１００とをより強く結合することができる。
【００４０】
本実施例による前記表示装置は、前記光発生ユニットが前記導光板１０の側面に配置されたエッジ型バックライトアセンブリを具備しているが、これとは違って、前記表示装置は、前記光発生ユニットが前記表示パネル４０の下部に配置され、光を前記表示パネル４０に直接提供する直下型バックライトアセンブリを具備することもできる。
【００４１】
また、図２では、前記反射板２０を示したが、これとは違って、前記収納底部１１０上に光を反射させる金属反射層が形成されることによって、前記反射板２０を省略してもよい。
【００４２】
また、図２では、射出成型可能なボトムモールド１００が具備されることを説明したが、前記ボトムモールド１００を金属やプラスチック材質のボトムシャーシに代替してもよい。
【００４３】
＜実施例２＞
図３は、本発明の第２実施例による表示装置を示した斜視図であり、図４は、図３の表示装置をＩＩ−ＩＩ’に沿って切断した断面図であり、図５は、図３の表示装置における結合突起と結合部との結合関係を示した正面図である。本発明の第２実施例による表示装置は、ボトムモールド及びトップシャーシを除くと、前述した第１実施例による表示装置と同一の構成を有するので、その重複された説明は省略し、同一構成要素には同一の参照符号及び名称を付与する。
【００４４】
図３乃至図５を参照すると、第２実施例による表示装置は、光発生ユニット、導光板１０、反射板２０、光学シート類３０、表示パネル４０、アッパモールド５０、ボトムモールド２００、及びトップシャーシ２５０を含む。
【００４５】
前記ボトムモールド２００は、収納底部２１０及び前記収納底部２１０のエッジから延伸した収納側部２２０を含む。前記収納底部２１０及び前記収納側部２２０によって前記ボトムモールド２００には収納空間が形成され、前記収納空間には、前記光発生ユニット、前記導光板１０、前記反射板２０、前記光学シート類３０、前記表示パネル４０及び前記アッパモールド５０が収納される。
【００４６】
前記収納側部２２０の外側面には、前記トップシャーシ２５０に形成された後述される結合部２５４ａと結合される結合突起２２２が形成される。前記結合突起２２２は、前記ボトムモールド２００の外側方向に前記収納側部２２０から延伸するように形成されるか、前記収納側部２２０と共に形成され得る。前記結合突起２２２は、棒形状を有し、望ましくは前記棒形状は、前記収納側部２２０から離れるほど厚さが薄くなる形状である。
【００４７】
前記トップシャーシ２５０は、前記ボトムモールド２００と結合され、前記表示パネル４０を前記ボトムモールド２００に固定させる。前記トップシャーシ２５０は、前記収納底部２１０と平行に形成されたパネル支持部２５２と、前記パネル支持部２５２のエッジから前記収納側部２２０と平行に延びるシャーシ側部２５４を含む。前記シャーシ側部２５４は、前記パネル支持部２５２に実質的に垂直である。
【００４８】
前記パネル支持部２５２は、エッジを除いた多くが開口されてされており、前記表示パネル４０のエッジを圧着することによって前記表示パネル４０を前記ボトムモールド２００に固定させる。
【００４９】
前記シャーシ側部２５４は、前記結合突起２２２と対応する位置に形成され、前記結合突起２２２と結合する結合部２５４ａを含む。前記結合部２５４ａは、前記シャーシ側部２５４の一部が放射状に切開されて形成された複数の結合羽部を含む。前記結合突起２２２は、前記結合羽部を開けながら前記結合羽部に差し込まれ、前記結合羽部に差し込まれた前記結合突起２２２は、前記結合羽部によって圧着されることによって前記結合部２５４ａとより強く結合される。
【００５０】
このように、本実施例によると、前記収納側部２２０に形成された結合突起２２２が前記シャーシ側部２５４に形成された結合羽部に差し込まれることにより、前記結合突起２２２は、前記結合羽部によって強く圧着され、その結果、前記ボトムモールド２００と前記トップシャーシ２５０はより強く結合される。
【００５１】
＜実施例３＞
図６は、本発明の第３実施例による表示装置を示した斜視図であり、図７は、図６の表示装置をＩＩＩ−ＩＩＩ’に沿って切断した断面図である。本発明の第３実施例による表示装置は、ボトムモールド及びトップシャーシを除くと、前術した第１実施例の表示装置と同一の構成を有するので、その重複された説明は省略し、同一の構成要素に対しては同一の参照符号及び名称を付与する。
【００５２】
図６及び図７を参照すると、第３実施例による表示装置は、光発生ユニット、導光板１０、反射板２０、光学シート類３０、表示パネル４０、アッパモールド５０、ボトムモールド３００、トップシャーシ３５０、及び結合部材３６０を含む。
【００５３】
前記ボトムモールド３００は、収納底部３１０及び前記収納底部３１０のエッジから延伸する収納側部３２０を含み、収納空間の輪郭を定める。前記収納空間には、前記光発生ユニット、前記導光板１０、前記反射板２０、前記光学シート類３０、前記表示パネル４０及び前記アッパモールド５０が収納される。
【００５４】
前記トップシャーシ３５０は、前記ボトムモールド３００と結合され、前記表示パネル４０を前記ボトムモールド３００に固定させる。前記トップシャーシ３５０は、前記収納底部３１０と平行に形成されたパネル支持部３５２と、前記パネル支持部３５２のエッジから前記収納側部３２０と平行に延伸するシャーシ側部３５４を含む。
【００５５】
前記パネル支持部３５２は、エッジを除いた多くが開口されており、前記表示パネル４０のエッジを圧着することで、前記表示パネル４０を前記ボトムモールド３００に固定させる。
【００５６】
前記シャーシ側部３５４には、前記結合部材３６０と対応する位置に結合ホール３５４ａが形成される。図面では、前記結合ホール３５４ａを示したが、前記結合ホール３５４ａは省略されてもよい。
【００５７】
前記結合部材３６０は、前記ボトムモールド３００と前記トップシャーシ３５０を磁力によって結合させる。前記結合部材３６０は、前記収納側部３２０に配置された第１磁石３６２及び前記シャーシ側部３５４の外側面上に配置される第２磁石３６４を含む。ここで、前記第１磁石３６２は、前記収納側部３２０内に固定されるように前記収納側部３２０の内部に配置されることが望ましい。
【００５８】
前記第１磁石３６２及び前記第２磁石３６４は、磁力によって相互に引力を作用させて、前記シャーシ側部３５４を圧着し、その結果、前記ボトムモールド３００と前記トップシャーシ３５０は互いに強く結合される。また、前記シャーシ側部３５４に形成された結合ホール３５４ａが前記第１磁石３６２と前記第２磁石３６４との間に形成される場合、前記第１磁石３６２と前記第２磁石３６４は、より強い引力で結合される。
【００５９】
このように、本実施例によると、前記第１磁石３６２と前記第２磁石３６４が磁力によって相互に引力を作用させて前記シャーシ側部３５４を強く圧着することにより、前記ボトムモールド３００と前記トップシャーシ３５０は、互いに強く結合される。
【００６０】
＜実施例４＞
図８は、本発明の第４実施例による表示装置の一部を切断して示した断面図である。本発明の第４実施例による表示装置は、ボトムモールド及びトップシャーシを除くと、前述した第１実施例の表示装置と同一構成を有するので、その重複された説明は省略し、同一の構成要素に対しては同一の参照符号及び名称を付与する。
【００６１】
図８を参照すると、第３実施例による表示装置は、光発生ユニット、導光板１０、反射板２０、光学シート類３０、表示パネル４０、アッパモールド５０、ボトムモールド３００、トップシャーシ３５０及び結合部材３６０を含む。
【００６２】
前記ボトムモールド３００は、収納底部３１０及び前記収納底部３１０のエッジから延伸する収納側部３２０を具備して、収納空間の輪郭を定める。前記収納空間には、前記光発生ユニット、前記導光板１０、前記反射板２０、前記光学シート類３０、前記表示パネル４０、及び前記アッパモールド５０が収納される。
【００６３】
前記収納側部３２０の外側面には、前記トップシャーシ３５０に形成された後述する第１収納溝３５４ｂを収納するための第２収納溝３２２が形成される。
【００６４】
前記トップシャーシ３５０は、前記ボトムモールド３００と結合され、前記表示パネル４０を前記ボトムモールド３００に固定させる。前記トップシャーシ３５０は、前記収納底部３１０と平行に形成されたパネル支持部３５２と、前記パネル支持部３５２のエッジから前記収納側部３２０と平行に延伸するシャーシ側部３５４を含む。
【００６５】
前記パネル支持部３５２は、エッジを除いた多くが開口されており、前記表示パネル４０のエッジに圧着することによって前記表示パネル４０を前記ボトムモールド３００に固定させる。
【００６６】
前記シャーシ側部３５４は、前記結合部材３６０と対応する位置に形成された結合ホール３５４ａと、前記第２収納溝３２２に収納される第１収納溝３５４ｂを含む。
【００６７】
前記結合部材３６０は、前記ボトムモールド３００と前記トップシャーシ３５０を磁力によって結合させる。前記結合部材３６０は、前記収納側部３２０に配置された第１磁石３６２と、前記シャーシ側部３５４上に配置される第２磁石３６４を含む。
【００６８】
前記第１磁石３６２は、前記第２収納溝３２２に配置され、望ましくは前記収納側部３２０に内に固定されるように前記収納側部３２０の内部に配置される。前記第２磁石３６４は、前記第１収納溝３５４ｂに収納され、前記第１磁石３６２と向い合うように配置される。ここで、前記第２磁石３６４は、前記第１収納溝３５４ｂに収納されることにより、外力によって前記トップシャーシ３５０から離脱することを防止する。
【００６９】
前記第１磁石３６２及び前記第２磁石３６４は、磁力によって相互に引力を作用して前記シャーシ側部３５４を圧着し、その結果、前記ボトムモールド３００と前記トップシャーシ３５０は互いに強く結合される。また、前記結合ホール３５４ａが前記第１磁石３６２と前記第２磁石３６４との間に形成されることによって、前記第１磁石３６２と前記第２磁石３６４は、より強い引力で結合される。
【００７０】
このように本実施例によると、前記第２磁石３６４が前記第１収納溝３５４ｂに安定的に収納され、前記第１磁石３６２と結合することにより、より安定的に前記ボトムモールド３００と前記トップシャーシ３５０を互いに結合させることができる。
【００７１】
＜実施例５＞
図９は、本発明の第５実施例による表示装置を示した斜視図であり、図１０は、図９の表示装置の一部を抜粋して示した分解斜視図であり、図１１は、図９の表示装置をＩＶ−ＩＶ’に沿って切断した断面図であり、図１２は、図９の表示装置をＶ−Ｖ’に沿って切断した断面図である。本発明の第５実施例による表示装置は、ボトムモールド及びトップシャーシを除くと、前述した第１実施例の表示装置を同一の構成を有するので、その重複された説明は省略し、同一の構成要素に対しては同一の参照符号及び名称を付与する。
【００７２】
図９乃至図１２を参照すると、第５実施例による表示装置は、光発生ユニット、導光板１０、反射板２０、光学シート類３０、表示パネル４０、アッパモールド５０、ボトムモールド４００、トップシャーシ４５０、及びケース５００を含む。
【００７３】
前記ボトムモールド４００は、収納底部４１０及び前記収納底部４１０のエッジから延伸した収納側部４２０を具備して収納空間の輪郭を定める。前記収納空間には、前記光発生ユニット、前記導光板１０、前記反射板２０、前記光学シート類３０、前記表示パネル４０、及び前記アッパモールド５０が収納される。
【００７４】
前記収納側部４２０には、前記トップシャーシ４５０に形成された後述するスクリュホール４５４ａ１と同一直線状に配置され得るスクリュ溝４２２と、前記トップシャーシ４５０に形成された後述する結合突起４５４ｂ１を収納するための結合溝４２４が形成される。
【００７５】
前記スクリュ溝４２２は、Ｚ軸方向に前記収納側部４２０の外側面に沿って形成される。前記結合溝４２４は、前記スクリュ溝４２２を挟んで一対が配置される。前記結合溝４２４は、前記収納底部４１０の表面と平行な面で切断した断面が、Ｌ字形状を有する。
【００７６】
前記トップシャーシ４５０は、前記ボトムモールド４００と結合され、前記表示パネル４０を前記ボトムモールド４００に固定させる。前記トップシャーシ４５０は、前記収納底部４１０と平行に形成されたパネル支持部４５２と、前記パネル支持部４５２のエッジから前記収納側部４２０と平行に延びるシャーシ側部４５４を含む。
【００７７】
前記パネル支持部４５２は、エッジを除いた多くが開口されており、前記表示パネル４０のエッジと圧着されることで前記表示パネル４０を前記ボトムモールド４００に固定させる。
【００７８】
前記シャーシ側部４５４は、前記スクリュ溝４２２に収納されるスクリュホール４５４ａ１と、前記結合溝４２４に収容される結合突起４５４ｂ１と、前記結合突起４５４ｂ１と対応する位置に形成された開口部４５４ｃ１を含む。
【００７９】
前記スクリュホール４５４ａ１は、前記シャーシ側部４５４から前記ボトムモールド４００の内側方向に延伸して形成される。前記スクリュホール４５４ａ１の内側面にはスクリュ５１４と結合するためのスクリュ山が形成される。
【００８０】
前記結合突起４５４ｂ１は、前記スクリュホール４５４ａ１を挟んで一対が配置され、前記結合突起４５４ｂ１の縦断面は、前記結合溝４２４に結合できるように前記結合溝４２４と同一のＬ字形状を有する。前記結合突起４５４ｂ１は、前記収納側部４２０と平行な方向に、即ち、Ｚ軸方向に前記結合溝４２４に挿入されることによって、前記結合溝４２４と結合される。前記結合突起４５４ｂ１は、前記結合溝４２４と結合されることで、前記トップシャーシ４５０が前記ボトムモールド４００の外側方向に動くことを防止する。
【００８１】
前記結合突起４５４ｂ１は、前記シャーシ側部４５４の一部が切開されて湾曲して形成される。ここで、前記シャーシ側部４５４の一部が切開され湾曲することにより、前記シャーシ側部４５４には開口部４５４ｃ１が形成される。前記開口部４５４ｃ１は、前記シャーシ側部４５４の下端部まで延伸して形成される。図面では、前記結合突起４５４ｂ１が前記シャーシ側部４５４の一部が切開されて湾曲して形成されることと示したが、これとは違って、前記結合突起４５４ｂ１が、前記シャーシ側部４５４と独立して形成され、前記シャーシ側部４５４に取り付けられるものとしてもよい。
【００８２】
前記ケース５００は、前記ボトムモールド４００と前記トップシャーシ４５０に結合され、前記ボトムモールド４００及び前記トップシャーシ４５０を固定させる。前記ケース５００には前記シャーシ側部４５４及び前記収納側部４２０を固定させるための固定板５１０が形成される。前記固定板５１０は、前記シャーシ側部４５４と平行にＸ軸方向に一対が並列に配置される。
【００８３】
前記固定板５１０には、前記ケース５００を前記ボトムモールド４００と前記トップシャーシ４５０に固定させるための結合ホール５１２が形成される。前記結合ホール５１２には、前記スクリュ５１４と結合されるためのスクリュ山を形成することができる。前記スクリュ５１４は、前記結合ホール５１２を介して前記スクリュホール４５４ａ１と結合される。前記スクリュ５１４が前記スクリュホール４５４ａ１と結合されることによって、前記シャーシ側部４５４は、前記ボトムモールド４００の外側方向に力を作用し、その結果、前記固定板５１０は、前記シャーシ側部４５４と強く結合される。ここで、前記シャーシ側部４５４は、前記結合突起４５４ｂ１によって前記収納側部４２０と結合されているので、結局、前記固定板５１０、前記シャーシ側部４５４、及び前記収納側部４２０は互いに強く結合される。
【００８４】
このように、本実施例によると、前記トップシャーシ４５０に形成された結合突起４５４ｂ１が前記のボトムモールド４００に形成された結合溝４２４に結合されることによって、前記トップシャーシ４５０は、前記ボトムモールド４００と別途の結合手段によらず、結合し得る。
【００８５】
また、前記ケース５００に形成された固定板５１０が前記スクリュ５１４によって前記シャーシ側部４５４と結合することによって、前記固定板５１０、前記シャーシ側部４５４、及び前記収納側部４２０は、互いに強く結合することができる。
【００８６】
本実施例による表示装置は、ケース５００を具備し、前記ケース５００、前記トップシャーシ４５０、及び前記ボトムモールド４００が相互に結合することと説明したが、これとは違って、前記ケース５００を省略して、前記トップシャーシ４５０と前記ボトムモールド４００のみを相互に結合することもできる。
【００８７】
ここで、一般的に前記表示パネル４０の製作企業では、前記ケース５００を除いた表示装置を完成品として製作しており、前記表示パネル４０の顧客企業では前記ケース５００を除いた表示装置に前記ケース５００を追加してより完全な完成品を製作している。
【００８８】
＜実施例６＞
図１３は、本発明の第６実施例による表示装置の一部を抜粋して示した分解斜視図である。本発明の第６実施例による表示装置は、ボトムモールド及びトップシャーシを除くと、前述した第１実施例の表示装置と同一の構成を有するので、その重複された説明は省略し、同一の構成要素に対しては、同一の参照符号及び名称を付与する。
【００８９】
図１３を参照すると、第６実施例による表示装置は、光発生ユニット、導光板１０、反射板２０、光学シート類３０、表示パネル４０、アッパモールド５０、ボトムモールド４００、トップシャーシ４５０及びケース５００を含む。
【００９０】
前記ボトムモールド４００は、収納底部４１０及び前記収納底部４１０のエッジから延伸した収納側部４２０を具備して収納空間の輪郭を定める。前記収納空間には、前記光発生ユニット、前記導光板１０、前記反射板２０、前記光学シート類３０、前記表示パネル４０、及び前記アッパモールド５０が収納される。
【００９１】
前記収納側部４２０には、前記トップシャーシ４５０に形成され、後述するスクリュホール４５４ａ２と同一直線状に配置され得るスクリュ溝４２２と、前記トップシャーシ４５０に形成された後述される結合突起４５４ｂ２を収納するための結合溝４２６が形成される。
【００９２】
前記スクリュ溝４２２は、Ｚ軸方向に前記収納側部４２０の外側面に沿って形成される。前記結合溝４２６は、前記スクリュ溝４２２を挟んで一対が配置される。前記結合溝４２６は、前記収納側部４２０に対して傾いた方向に延伸して形成される。
【００９３】
前記トップシャーシ４５０は、前記ボトムモールド４００と結合され、前記表示パネル４０を前記ボトムモールド４００に固定させる。前記トップシャーシ４５０は、前記収納底部４１０と平行に形成されたパネル支持部４５２と、前記パネル支持部４５２のエッジから前記収納側部４２０と平行に延伸するシャーシ側部４５４を含む。
【００９４】
前記パネル支持部４５２は、エッジを除いた多くが開口されており、前記表示パネル４０のエッジに圧着することで、前記表示パネル４０を前記ボトムモールド４００に固定させる。
【００９５】
前記シャーシ側部４５４は、前記スクリュ溝４２２と同一直線状に配置され得るスクリュホール４５４ａ２と、前記結合溝４２６に収容される結合突起４５４ｂ２と、前記結合突起４５４ｂ２と対応する位置に形成される開口部４５４ｃ２を含む。
【００９６】
前記スクリュホール４５４ａ２は、前記シャーシ側部４５４から前記ボトムモールドの内側方向に延伸して形成される。前記スクリュホール４５４ａ２の内側面には、スクリュ５１４と結合されるためのスクリュ山が形成される。
【００９７】
前記結合突起４５４ｂ２は、前記スクリュホール４５４ａ２を挟んで一対が配置される。前記結合突起４５４ｂ２は、前記結合溝４２６に結合されるよう前記シャーシ側部４５４に対して傾いた方向に延伸して形成される。前記結合突起４５４ｂ２は、前記収納側部４２０と平行な方向（即ち、Ｚ方向）に前記結合溝４２６に挿入されることにより、前記結合溝４２６と結合される。
【００９８】
前記結合突起４５４ｂ２は、前記シャーシ側部４５４の一部が切開され、湾曲して形成される。ここで、前記シャーシ側部４５４の一部が切開されて湾曲することにより、前記シャーシ側部４５４には開口部４５４ｃ２が形成される。前記開口部４５４ｃ２は、前記シャーシ側部４５４の下端部まで延伸して形成される。
【００９９】
前記ケース５００は、前記ボトムモールド４００と前記トップシャーシ４５０に結合され、前記ボトムモールド４００及び前記トップシャーシ４５０を固定させる。前記ケース５００には前記シャーシ側部４５４と前記収納側部４２０を固定させるための固定板５１０が形成される。前記固定板５１０は、前記シャーシ側部４５４と平行にＸ軸方向に一対が並列に配置される。
【０１００】
前記固定板５１０には、前記ケース５００を前記ボトムモールド４００と前記トップシャーシ４５０に固定させるための結合ホール５１２が形成される。前記結合ホール５１２には、前記スクリュ５１４と結合されるためのスクリュ山が形成されることができる。前記スクリュ５１４は、前記結合ホール５１２を通じて前記スクリュホール４５４ａ２と結合される。
【０１０１】
前記スクリュ５１４が前記スクリュホール４５４ａ２と結合されることにより、前記シャーシ側部４５４は、前記ボトムモールド４００の外側方向に力を作用し、その結果、前記固定板５１０は、前記シャーシ側部４５４と強く結合する。ここで、前記シャーシ側部４５４は、前記結合突起４５４ｂ２によって前記収納側部４２０と結合されているので、結局、前記固定板５１０、前記シャーシ側部４５４及び前記収納側部４２０は、互いに強く結合される。
【０１０２】
＜実施例７＞
図１４は、本発明の第７実施例による表示装置の一部を抜粋して示した分解斜視図である。本発明の第７実施例による表示装置は、ボトムモールド及びトップシャーシを除くと、前述した第１実施例の表示装置と同一の構成を有するので、その重複された説明は省略し、同一の構成要素に対しては同一の参照符号と名称を付与する。
【０１０３】
図１４を参照すると、第７実施例による表示装置は、光発生ユニット、導光板１０、反射板２０、光学シート類３０、表示パネル４０、アッパモールド５０、ボトムモールド４００、トップシャーシ４５０及びケース５００を含む。
【０１０４】
前記ボトムモールド４００は、収納底部４１０及び前記収納底部４１０のエッジから延伸した収納側部４２０を具備して収納空間の輪郭を定める。前記収納空間には、前記光発生ユニット、前記導光板１０、前記反射板２０、前記光学シート類３０、前記表示パネル４０、及び前記アッパモールド５０が収納される。
【０１０５】
前記収納側部４２０には、前記トップシャーシ４５０に形成された後述されるスクリュホール４５４ａ３と同一直線状に配置され得るスクリュ溝４２２と、前記トップシャーシ４５０に形成された後述される結合突起４５４ｂ３を収容するための結合溝４２４が形成される。
【０１０６】
前記スクリュ溝４２２は、Ｚ軸方向に前記収納側部４２０の外側面に沿って形成される。結合溝４２４は、前記スクリュ溝４２２を挟んで一対が配置される。前記結合溝４２４の縦断面はＬ字形状を有する。
【０１０７】
前記トップシャーシ４５０は、前記ボトムモールド４００と結合され、前記表示パネル４０を前記ボトムモールド４００に固定させる。前記トップシャーシ４５０は、前記収納底部４１０と平行に形成されたパネル支持部４５２と、前記パネル支持部４５２のエッジから前記収納側部４２０と平行に延伸するシャーシ側部４５４を含む。
【０１０８】
前記パネル支持部４５２のエッジを除いた多くが開口されており、前記表示パネル４０のエッジを圧着することで前記表示パネル４０を前記ボトムモールド４００に固定させる。
【０１０９】
前記シャーシ側部４５４は、前記スクリュ溝４２２に収納されるスクリュホール４５４ａ３と、前記結合溝４２４に収納される結合突起４５４ｂ３と対応する位置に形成された開口部を含む。
【０１１０】
前記スクリュホール４５４ａ３は、前記シャーシ側部４５４から前記ボトムモールドの内側方向に延伸して形成される。前記スクリュホール４５４ａ３の内側面にはスクリュ５１４と結合されるためのスクリュ山が形成される。
【０１１１】
前記結合突起４５４ｂ３は、前記スクリュホール４５４ａ３を挟んで一対が配置される。前記結合突起４５４ｂ３は、前記結合溝４２４に結合できるようＬ字形状を有する。前記結合突起４５４ｂ３は、前記収納側部４２０と平行の方向（即ち、Ｚ軸方向）に前記結合溝４２４に挿入されることによって前記結合溝４２４と結合される。
【０１１２】
前記結合突起４５４ｂ３は、前記シャーシ側部４５４の一部が切開されて湾曲して形成される。ここで、前記シャーシ側部４５４の一部が切開されて湾曲することにより、前記シャーシ側部４５４には開口部４５４ｃ３が形成される。前記開口部４５４ｃ３は、前記いシャーシ側部４５４の中間部に形成される。その結果、前記シャーシ側部４５４の一部が外力によって湾曲することを防止することができる。
【０１１３】
前記ケース５００は、前記ボトムモールド４００と前記トップシャーシ４５０に結合され、前記ボトムモールド４００及び前記トップシャーシ４５０を固定させる。前記ケース５００には、前記シャーシ側部４５４と前記収納側部４２０を固定させるための固定板５１０が形成される。前記固定板５１０は、前記シャーシ側部４５４と平行にＸ軸方向に一対が並列に配置される。
【０１１４】
前記固定板５１０には、前記ケース５００を前記ボトムモールド４００と前記トップシャーシ４５０に固定させるための結合ホール５１２が形成される。前記結合ホール５１２には、前記スクリュ５１４と結合するためのスクリュ山を形成することもできる。
【０１１５】
前記スクリュ５１４は、前記結合ホール５１２を通じて前記スクリュホール４５４ａ３と結合される。前記スクリュ５１４が前記スクリュホール４５４ａ３と結合することにより、前記シャーシ側部４５４は、前記ボトムモールド４００の外側方向に力を作用し、その結果、前記固定板５１０は、前記シャーシ側部４５４と強く結合される。ここで、前記開口部４５４ｃ３が前記シャーシ側部４５４の中間部に形成されることによって、前記シャーシ側部４５４に力が作用し、前記シャーシ側部４５４の一部の湾曲が防止される。
【０１１６】
このように、前記シャーシ側部４５４は、前記結合突起４５４ｂ３によって前記収納側部４２０と結合するので、結局前記固定板５１０、前記シャーシ側部４５４及び前記収納側部４２０は、互いに強く結合される。
【０１１７】
＜実施例８＞
図１５は、本発明の第８実施例による表示装置を示した斜視図であり、図１６は、図１５の表示装置をＶＩ−ＶＩ’に沿って切断した断面図である。本発明の第８実施例による表示装置は、ボトムモールド及びトップシャーシを除くと、前述した第１実施例の表示装置と同一の構成を有するので、その重複された説明は省略し、同一の構成要素に対しては、同一の参照符号及び名称を付与する。
【０１１８】
図１５及び図１６を参照すると、第８実施例による表示装置は、光発生ユニット、導光板１０、反射板２０、光学シート類３０、表示パネル４０、アッパモールド５０、ボトムモールド６００、及びトップシャーシ６５０を含む。
【０１１９】
前記ボトムモールド６００は、収納底部６１０及び前記収納底部６１０のエッジから延伸する収納側部６２０を具備して収納空間の輪郭を定める。前記収納空間には前記光発生ユニット、前記導光板１０、前記反射板２０、前記光学シート類３０、前記表示パネル４０、及び前記アッパモールド５０が収納される。
【０１２０】
前記トップシャーシ６５０は、前記ボトムモールド６００と結合され、前記表示パネル４０を前記ボトムモールド６００に固定させる。前記トップシャーシ６５０は、前記収納底部６１０と平行に形成されたパネル支持部６５２と、前記パネル支持部６５２のエッジから前記収納側部６２０と平行に延伸するシャーシ側部６５４を含む。
【０１２１】
前記パネル支持部６５２は、エッジを除いた多くが開口されており、前記表示パネル４０のエッジを圧着させることで前記表示パネル４０を前記ボトムモールド６００に固定させる。
【０１２２】
前記パネル支持部６５２には、前記トップシャーシ６５０と前記ボトムモールド６００を互いに結合させるための屈曲部６５２ａが形成される。前記屈曲部６５２ａは、前記パネル支持部６５２の一部が前記収納底部６１０に向かって湾曲して形成される。ここで、前記湾曲部６５２ａの一部が前記収納側部６２０と接することによって、前記トップシャーシ６５０は、前記ボトムモールド６００の外側方向、即ち、Ｙ軸方向への動きを防止する。なお、前記トップシャーシ６５０及び前記ボトムモールド６００の結合力を増加させるために、前記屈曲部６５２ａは前記パネル支持部６５２に複数形成されることが望ましい。
【０１２３】
このように本実施例によると、前記パネル支持部６５２に形成された屈曲部６５２ａが前記収納側部６２０と接することにより、前記トップシャーシ６５０は別途の結合手段を用いることなく前記ボトムモールド６００と結合することができる。
【０１２４】
＜実施例９＞
図１７は、本発明の第９実施例による表示装置の一部を切断して示した斜視図である。本発明の第９実施例による表示装置は、ボトムモールド及びトップシャーシを除くと、前述した第１実施例の表示装置と同一の構成を有するので、その重複された説明は省略し、同一の構成要素に対しては、同一の参照符号及び名称を付与する。
【０１２５】
図１７を参照すると、第９実施例による表示装置は、光発生ユニット、導光板１０、反射板２０、光学シート類３０、表示パネル４０、アッパモールド５０、ボトムモールド６００、及びトップシャーシ６５０を含む。
【０１２６】
前記ボトムモールド６００は、収納底部６１０、及び収納底部６１０のエッジから延伸する収納側部６２０を具備して収納空間の輪郭を定める。前記収納空間には、前記光発生ユニット、前記導光板１０、前記反射板２０、前記光学シート類３０、前記表示パネル４０、及び前記アッパモールド５０が収納される。
【０１２７】
前記トップシャーシ６５０は、前記ボトムモールド６００と結合され、前記表示パネル４０を前記ボトムモールド６００に固定させる。前記トップシャーシ６５０は、前記収納底部６１０と平行に形成されるパネル支持部６５２と、前記パネル支持部６５２のエッジから前記収納側部６２０と平行に延伸するシャーシ側部６５４を含む。
【０１２８】
前記パネル支持部６５２は、エッジを除いた多くが開口されており、前記表示パネル４０のエッジを圧着させることで、前記表示パネル４０を前記ボトムモールド６００に固定させる。
【０１２９】
前記パネル支持部６５２は、前記トップシャーシ６５０と前記ボトムモールド６００を互いに結合させるための屈曲部６５２ｂが形成される。前記屈曲部６５２ｂは、前記パネル支持部６５２の一部が切開された後、前記収納底部６１０に向かって湾曲して形成される。前記屈曲部６５２ｂの縦断面は、Ｌ字形状を有することが望ましい。ここで、前記屈曲部６５２ｂの一部が前記収納側部６２０と接することにより、前記トップシャーシ６５０は、前記ボトムモールド６００の外側方向、即ち、Ｙ軸方向への動きを防止する。
【０１３０】
＜実施例１０＞
図１８は、本発明の第１０実施例による表示装置を示した斜視図であり、図１９は、図１８の表示装置の一部を抜粋して示した分解斜視図であり、図２０は、図１８の表示装置をＶＩＩ−ＶＩＩ’に沿って切断した断面図である。本発明の第１０実施例による表示装置は、ボトムモールド及びトップシャーシを除くと、前述した第１実施例の表示装置と同一の構成を有するので、その重複された説明は省略し、同一の構成要素に対しては同一の参照符号及び名称を付与する。
【０１３１】
図１８乃至図２０を参照すると、第１０実施例による表示装置は、光発生ユニット、導光板１０、反射板２０、光学シート類３０、表示パネル４０、アッパモールド５０、ボトムモールド７００、及びトップシャーシ７５０を含む。
【０１３２】
前記ボトムモールド７００は、収納底部７１０及び前記収納底部７１０のエッジから延伸した収納側部７２０を具備して収納空間の輪郭を定める。前記収納空間には、前記光発生ユニット、前記導光板１０、前記反射板２０、前記光学シート類３０、前記表示パネル４０及び前記アッパモールド５０が収納される。
【０１３３】
前記収納側部７２０には、前記トップシャーシ７５０に形成された後述する結合突起７５４ａを収容するための結合溝７２２が形成される。前記結合溝７２２は、前記収納側部７２０に沿ってＺ軸方向に形成され、前記収納側部７２０の上方端部を開口させる。前記結合溝７２２には傾いた段差７２２ａが形成される。前記段差７２２ａは、前記結合突起７５４ａと結合され、前記トップシャーシ７５０は、前記ボトムモールド７００の外側方向、即ち、Ｙ軸方向に動くことを防止する。
【０１３４】
前記トップシャーシ７５０は、前記ボトムモールド７００と結合され、前記表示パネル４０を前記ボトムモールド７００に固定させる。前記トップシャーシ７５０は、前記収納底部７１０と平行に形成されたパネル支持部７５２と、前記パネル支持部７５２のエッジから前記収納側部７２０と平行に延伸するシャーシ側部７５４を含む。
【０１３５】
前記パネル支持部７５２は、エッジを除いた多くが開口されており、前記表示パネル４０のエッジを圧着させることで前記表示パネル４０を前記ボトムモールド７００に固定させる。
【０１３６】
前記シャーシ側部７５４は、前記結合溝７２２に収納される結合突起７５４ａと、前記結合突起７５４ａと対応する位置に形成された開口部７５４ｂを含む。
【０１３７】
前記結合突起７５４ａは、前記シャーシ側部７５４に対して傾いた方向に前記シャーシ側部７５４から延伸するように形成される。前記結合突起７５４ａは、互いに向い合う方向が傾くように一対が形成される。前記結合突起７５４ａの端部は、少なくとも一度湾曲することが望ましい。
【０１３８】
前記結合突起７５４ａは、前記シャーシ側部７５４の一部が切開された後、前記一部が湾曲して形成されることが望ましい。前記シャーシ側部７５４の一部が湾曲しながら、前記シャーシ側部７５４には開口部７５４ｂが形成される。
【０１３９】
前記結合突起７５４ａは、前記結合溝７２２に形成された段差７２２ａと結合され、前記トップシャーシ７５０と前記ボトムモールド７００を結合させる。ここで、前記結合突起７５４ａは、前記結合溝７２２に形成された段差７２２ａと結合することにより、前記トップシャーシ７５０が前記ボトムモールド７００の外側方向、即ち、Ｙ軸方向に動くことが防止される。
【０１４０】
前記トップシャーシ７５０は、円回転をしながら前記ボトムモールド７００と結合されることが望ましい。即ち、前記結合突起７５４ａの一つが前記結合溝７２２の一つと先に結合した後、前記結合突起７５４ａの残りの一つが前記結合溝７２２の残りの一つと結合することが望ましい。
【０１４１】
このように本発明によると、前記シャーシ側部７５４に形成された結合突起７５４ａが前記収納側部７２０に形成された結合溝７２２と結合されることにより、別途の結合手段を用いることなく前記トップシャーシ７５０と前記ボトムモールド７００を結合させることができる。
【０１４２】
＜実施例１１＞
図２１は、本発明の第１１実施例による表示装置の一部を切断して示した断面図である。本発明の第１１実施例による表示装置は、ボトムモールド及びトップシャーシを除くと、前述した第１実施例の表示装置と同一の構成を有するので、その重複された説明は省略し、同一の構成要素に対しては同一の参照符号及び名称を付与する。
【０１４３】
図２１を参照すると、第１１実施例による表示装置は、光発生ユニット、導光板１０、反射板２０、光学シート類３０、表示パネル４０、アッパモールド５０、ボトムモールド７００、及びトップシャーシ７５０を含む。
【０１４４】
前記ボトムモールド７００は、収納底部７１０及び前記収納底部７１０のエッジから延伸する収納側部７２０を具備して収納空間の輪郭を定める。前記収納空間には、前記光発生ユニット、前記導光板１０、前記反射板２０、前記光学シート類３０、前記表示パネル４０及び前記アッパモールド５０が収納される。
【０１４５】
前記収納側部７２０には、前記トップシャーシ７５０に形成された後述する結合突起７５４ｃを収容するための結合溝７２４が形成される。前記結合溝７２４は、前記収納側部７２０に沿って、Ｘ軸及びＹ軸と直交する方向（Ｚ軸方向）に延び、前記収納側部７２０の上方端部を開口させる。前記結合溝７２４には段差７２４ａが形成される。前記段差７２４ａは、前記結合突起７５４ｃと結合され、前記トップシャーシ７５０が前記ボトムモールド７００の外側方向、即ち、Ｙ軸方向に動くことを防止する。
【０１４６】
前記トップシャーシ７５０は、前記ボトムモールド７００と結合され、前記表示パネル４０を前記ボトムモールド７００に固定させる。前記トップシャーシ７５０は、前記収納底部７１０と平行に形成されたパネル支持部７５２と、前記パネル支持部７５２のエッジから前記収納側部７２０と平行に延伸したシャーシ側部７５４を含む。
【０１４７】
前記パネル支持部７５２は、エッジを除いた多くが開口されており、前記表示パネル４０のエッジを圧着させることで前記表示パネル４０を前記ボトムモールド７００に固定させる。
【０１４８】
前記シャーシ側部７５４は、前記結合溝７２４に収納される結合突起７５４ｃと、前記結合突起７５４ｃと対応する位置に形成された開口部７５４ｄを含む。
【０１４９】
前記結合突起７５４ｃは、前記シャーシ側部７５４に対して垂直の方向に前記シャーシ側部７５４から延伸して形成される。前記結合突起７５４ｃの端部は、少なくとも一度湾曲することが望ましい。一例として、前記結合突起７５４ｃの端部は、三回垂直に湾曲する。前記結合突起７５４ｃは、前記湾曲した部位が互いに向い合うように、一対が形成される。
【０１５０】
前記結合突起７５４ｃは、前記シャーシ側部７５４の一部が切開した後、前記一部が湾曲して形成されることが望ましい。前記結合突起７５４ｃを形成するために前記シャーシ側部７５４の一部が湾曲することによって、前記シャーシ側部７５４には開口部７５４ｄが形成される。
【０１５１】
前記結合突起７５４ｃは、前記結合溝７２４に形成された段差７２４ａと結合することによって、前記トップシャーシ７５０と前記ボトムモールド７００とを結合させる。ここで、前記結合突起７５４ｃが、前記結合溝７２４に形成された段差７２４ａと結合することにより、前記トップシャーシ７５０が前記ボトムモールド７００の外側方向、即ち、Ｙ軸方向に動くことが防止される。
【０１５２】
前記トップシャーシ７５０は、円回転をしながら前記ボトムモールド７００と結合されることが望ましい。即ち、前記結合突起７５４ｃの一つが前記結合溝７２４の一つと先に結合した後、前記結合突起７５４ｃの残りの一つが前記結合溝７２４の残りの一つと結合されることが望ましい。
【産業上の利用可能性】
【０１５３】
以上、説明したように本発明によると、スクリュのような別途の部品を用いることなく、収納容器とトップシャーシとを結合させることで、表示装置を製造するのに所要される製造時間をより短縮することができる。
【０１５４】
以上、本発明の実施例によって詳細に説明したが、本発明はこれに限定されず、本発明が属する技術分野において通常の知識を有するものであれば本発明の思想と精神を離脱することなく、本発明を修正または変更できる。
【図面の簡単な説明】
【０１５５】
【図１】本発明の第１実施例による表示装置を示した斜視図である。
【図２】図１の表示装置をＩ−Ｉ’に沿って切断した断面図である。
【図３】本発明の第２実施例による表示装置を示した斜視図である。
【図４】図３の表示装置をＩＩ−ＩＩ’に沿って見た断面図である。
【図５】図３の表示装置における結合突起と結合部との結合関係を示した正面図である。
【図６】本発明の第３実施例による表示装置を示した斜視図である。
【図７】図６の表示装置をＩＩＩ−ＩＩＩ’に沿って切断した断面図である。
【図８】本発明の第４実施例による表示装置の一部を切断して示した断面図である。
【図９】本発明の第５実施例による表示装置を示した斜視図である。
【図１０】図９の表示装置の一部を抜粋して示した分解斜視図である。
【図１１】図９の表示装置をＩＶ−ＩＶ’に沿って切断した断面図である。
【図１２】図９の表示装置をＶ−Ｖ’に沿って切断した断面図である。
【図１３】本発明の第６実施例による表示装置の一部を抜粋して示した分解斜視図である。
【図１４】本発明の第７実施例による表示装置の一部を抜粋して示した分解斜視図である。
【図１５】本発明の第８実施例による表示装置を示した分解斜視図である。
【図１６】図１５の表示装置をＶＩ−ＶＩ’に沿って切断した断面図である。
【図１７】本発明の第９実施例による表示装置の一部を切断して示した断面図である。
【図１８】本発明の第１０実施例による表示装置を示した分解斜視図である。
【図１９】図１８の表示装置の一部を抜粋して示した分解斜視図である。
【図２０】図１８の表示装置をＶＩＩ−ＶＩＩ’に沿って切断した断面図である。
【図２１】本発明の第１１実施例による表示装置の一部を切断して示した断面図である。
【符号の説明】
【０１５６】
１０    導光板、
２０    反射板、
３０    光学シート類、
４０    表示パネル、
５０    アッパモールド、
１００，２００，３００，４００，６００，７００    ボトムモールド、
１１０，２１０，３１０，４１０，６１０，７１０    収納底部、
１２０，２２０，３２０，４２０，６２０，７２０    収納側部、
１５０，２５０，３５０，４５０，６５０，７５０    トップシャーシ、
１５２，２５２，３５２，４５２，６５２，７５２    パネル支持部、
１５４，２５４，３５４，４５４，６５４，７５４    シャーシ側部。
【図１】
2006215551.tif 000003
【図２】
2006215551.tif 000004
【図３】
2006215551.tif 000005
【図４】
2006215551.tif 000006
【図５】
2006215551.tif 000007
【図６】
2006215551.tif 000008
【図７】
2006215551.tif 000009
【図８】
2006215551.tif 000010
【図９】
2006215551.tif 000011
【図１０】
2006215551.tif 000012
【図１１】
2006215551.tif 000013
【図１２】
2006215551.tif 000014
【図１３】
2006215551.tif 000015
【図１４】
2006215551.tif 000016
【図１５】
2006215551.tif 000017
【図１６】
2006215551.tif 000018
【図１７】
2006215551.tif 000019
【図１８】
2006215551.tif 000020
【図１９】
2006215551.tif 000021
【図２０】
2006215551.tif 000022
【図２１】
2006215551.tif 000023